(57)【要約】【課題】各種の点滴筒にセンサホルダを取り付けることができると共に、製造コストを抑えた薬液検出装置を提供する。【解決手段】薬液検出装置１は、点滴筒１１０に着脱可能に取り付けられるセンサホルダ１０とアラーム本体２０とを備える。このセンサホルダ１０は、点滴筒１１０の各種径及び滴下口高さに合わせた各種のアダプタ３０と、アダプタ３０を収容するアダプタ収容部１５とを備える。そして、センサホルダ１０は、点滴筒１１０の種類に応じたアダプタ３０がアダプタ収容部１５に装着されて、アダプタ３０に点滴筒１１０が嵌め込まれることで、着脱可能に取り付けられる。【選択図】図１
2012245154.tif 000002
【特許請求の範囲】
【請求項１】
薬液ボトルにチューブを介して連通する点滴筒内を落ちる薬液を検出する薬液検出装置であって、
前記薬液の落下軌跡を挟む発光素子及び受光素子を有するセンサを内蔵し、前記点滴筒に着脱可能に取り付けられるセンサホルダと、
前記センサから出力される信号に基づき、前記薬液の検出結果を報知する報知手段と、
を備え、
前記センサホルダは、
前記点滴筒の各種径及び滴下口高さに合わせた各種のアダプタと、
前記アダプタを収容する収容手段と、
を更に備え、
前記点滴筒の種類に応じた前記アダプタが前記収容手段に装着されて、当該アダプタに前記点滴筒が嵌め込まれることで、着脱可能に取り付けられること、
を特徴とする薬液検出装置。
【請求項２】
前記アダプタは、
板形状を有し、
板面を貫通し、対応の前記点滴筒の径よりも若干小さい嵌合孔と、
前記嵌合孔から外縁まで前記板面を切り欠いて形成される断絶部と、
前記嵌合孔に沿って前記断絶部に至るまで前記嵌合孔を挟むようにそれぞれ延び、前記嵌合孔に挿嵌される前記点滴筒を両側から挟持する撓み可能な一対の挟持部と、
を有し、
前記収容手段の側壁と前記挟持部との間の隙間と前記嵌合孔の径との合計値が前記対応の点滴筒の径と同一であり、
前記挟持部が前記収容手段の側壁に当接するまで撓んだときの前記嵌合孔の径は、前記対応の点滴筒の径と同一となること、
を特徴とする請求項１記載の薬液検出装置。
【請求項３】
前記アダプタは、
前記嵌合孔の内周面に設けられ、前記挟持部の拡がりを容易にする切欠部を更に備えること、
を特徴とする請求項２記載の薬液検出装置。
【請求項４】
前記挟持部は、外縁に湾曲面を有し、
前記収容手段の側壁は、前記挟持部の湾曲面との対向部分に湾曲面を有し、
前記挟持部の湾曲面の曲率は、前記収容手段の側壁の湾曲面よりも大きく、この挟持部の湾曲面の曲率によって前記隙間の長さが設定されていること、
を特徴とする請求項２又は３記載の薬液検出装置。
【請求項５】
前記点滴筒は、上端にフランジを有し、
前記アダプタは、前記嵌合孔の周縁に上面から掘り込まれた前記フランジの座面を更に備えること、
を特徴とする請求項２乃至４の何れかに記載の薬液検出装置。
【請求項６】
前記点滴筒は、
上端に設けられたフランジと、
内部に設けられた小児用に投薬速度を調整する絞り筒と、
を備え、
前記アダプタは、
前記嵌合孔の周縁に形成され、前記絞り筒の長さと同一か若干高く、前記フランジが当接する立壁を更に備えること、
を特徴とする請求項２乃至４の何れかに記載の薬液検出装置。
【請求項７】
前記アダプタは、
半円筒形状を有し、内径が対応の前記点滴筒の径よりも若干狭く、対応の前記点滴筒が介挿されると、筒壁が拡がって当該点滴筒を挟持すること、
を特徴とする請求項１記載の薬液検出装置。
【発明の詳細な説明】
【技術分野】
【０００１】
本発明は、薬液ボトルにチューブを介して連通する点滴筒内を落ちる薬液を検出する薬液検出装置に関する。
【背景技術】
【０００２】
一般的に、点滴により薬液を被検体に投与する場合の関心事項は、投薬速度と投薬終了のタイミングである。そのため、従来、投薬担当者は、点滴ボトルと点滴針との間に介挿された点滴筒を落下する薬液を目視し、投薬速度と投薬終了のタイミングを確認していた。
【０００３】
しかし、医師や看護師の不足により、投薬担当者の職務は多岐に亘り、点滴を絶えず監視することが困難となっている。そのため、点滴筒内を落ちる薬液を検出する薬液検出装置が提案されている（例えば、特許文献１参照。）。
【０００４】
この薬液検出装置は、センサによって薬液の落下を検出している。センサは、発光素子と受光素子とから構成されており、点滴筒に取り付けられるセンサホルダに内蔵されている。センサホルダには、挿入口が貫設されており、センサホルダは、当該挿入口に点滴筒が挿入されることによって、点滴筒に取り付けられる。
【０００５】
センサホルダが点滴筒に取り付けられた状態では、発光素子と受光素子は、薬液の落下軌跡を挟み込むように対向する。薬液が発光素子と受光素子との間に存在するタイミングでは、受光素子の受光量は、薬液の表面での反射や薬液内での吸収により、発光素子からの出射量より少なくなる。そのため、受光素子から出力された信号の強度を分析することで、薬液の落下の有無を検出することができる。
【０００６】
薬液の落下を検出した場合には、ランプを点灯させ、薬液の落下を所定時間以上検出できない場合には、終了のブザー音を出力することで、投薬速度や投薬終了を投薬担当者に報知することができる。
【先行技術文献】
【特許文献】
【０００７】
【特許文献１】登録実用新案第３０５５２８０号公報
【発明の概要】
【発明が解決しようとする課題】
【０００８】
ここで、現在、点滴筒には各種が存在する。すなわち、点滴筒を製造するメーカによって、点滴筒の外径が異なる。また、小児用の点滴筒には、薬液の滴下量を絞るための絞り筒が設けられているため、大人用の点滴筒に比べ、滴下口が低い位置にある。
【０００９】
そのため、従来は、センサホルダを各種の点滴筒に合わせて用意しなくてはならなかった。具体的には、点滴筒の各種外径に合わせた挿入口を有するセンサホルダを各種用意しなくてはならない。更に、小児用の点滴筒に対応させて、センサを絞り筒の先端よりも低い位置に設置したセンサホルダを用意しなくてはならない。
【００１０】
他の種類のセンサホルダで代用しようとすると、センサホルダの挿入口と点滴筒の外径が合わず、点滴筒を潰してしまい、所望の投薬速度にならなかったり、センサホルダが点滴筒を一定の圧力で挟持することができず、センサホルダが点滴筒から脱落してしまったり、点滴筒の位置決めが定まらず、精度のよい薬液検出が困難になってしまうためである。
【００１１】
しかしながら、センサホルダを各種の点滴筒に合わせて用意しようとすると、各種センサホルダを製造する各種金型を用意する必要があり、製造ラインも併設しなくてはならず、センサホルダの製造コストは著しく高くなってしまう。
【００１２】
本発明は、上記のような問題点を解決するために提案されたもので、各種の点滴筒にセンサホルダを取り付けることができ、製造コストを抑えた薬液検出装置を提供することを目的とする。
【課題を解決するための手段】
【００１３】
上記目的を達成すべく、本発明に係る薬液検出装置は、薬液ボトルにチューブを介して連通する点滴筒内を落ちる薬液を検出する薬液検出装置であって、前記薬液の落下軌跡を挟む発光素子及び受光素子を有するセンサを内蔵し、前記点滴筒に着脱可能に取り付けられるセンサホルダと、前記センサから出力される信号に基づき、前記薬液の検出結果を報知する報知手段と、を備え、前記センサホルダは、前記点滴筒の各種径及び滴下口高さに合わせた各種のアダプタと、前記アダプタを収容する収容手段と、を更に備え、前記点滴筒の種類に応じた前記アダプタが前記収容手段に装着されて、当該アダプタに前記点滴筒が嵌め込まれることで、着脱可能に取り付けられること、を特徴とする。
【００１４】
前記アダプタは、板形状を有し、板面を貫通し、対応の前記点滴筒の径よりも若干小さい嵌合孔と、前記嵌合孔から外縁まで前記板面を切り欠いて形成される断絶部と、前記嵌合孔に沿って前記断絶部に至るまで前記嵌合孔を挟むようにそれぞれ延び、前記嵌合孔に挿嵌される前記点滴筒を両側から挟持する撓み可能な一対の挟持部と、を有し、前記収容手段の側壁と前記挟持部との間の隙間と前記嵌合孔の径との合計値が前記対応の点滴筒の径と同一であり、前記挟持部が前記収容手段の側壁に当接するまで撓んだときの前記嵌合孔の径は、前記対応の点滴筒の径と同一となるようにしてもよい。
【００１５】
前記アダプタは、前記嵌合孔の内周面に設けられ、前記挟持部の拡がりを容易にする切欠部を更に備えるようにしてもよい。
【００１６】
前記挟持部は、外縁に湾曲面を有し、前記収容手段の側壁は、前記挟持部の湾曲面との対向部分に湾曲面を有し、前記挟持部の湾曲面の曲率は、前記収容手段の側壁の湾曲面よりも大きく、この挟持部の湾曲面の曲率によって前記隙間の長さが設定されているようにしてもよい。
【００１７】
前記点滴筒は、上端にフランジを有し、前記アダプタは、前記嵌合孔の周縁に掘り込まれた前記フランジの座面を更に備えるようにしてもよい。
【００１８】
前記点滴筒は、上端に設けられたフランジと、内部に設けられた小児用に投薬速度を調整する絞り筒と、を備え、前記アダプタは、前記嵌合孔の周縁に形成され、前記絞り筒の長さと同一か若干高く、前記フランジが当接する立壁を更に備えるようにしてもよい。
【００１９】
前記アダプタは、半円筒形状を有し、内径が対応の前記点滴筒の径よりも若干狭く、対応の前記点滴筒が介挿されると、筒壁が拡がって当該点滴筒を挟持するようにしてもよい。
【発明の効果】
【００２０】
本発明によれば、センサホルダを各種点滴筒に合わせて用意する必要はなく、薬液検出装置の製造コストを削減することができる。
【図面の簡単な説明】
【００２１】
【図１】本実施形態に係る薬液検出装置の概略構成を示す模式図である。
【図２】薬液検出装置が備えるセンサホルダの詳細構成を示す図である。
【図３】アダプタの一例を示す図である。
【図４】アダプタが有する挟持部の機能を示す図である。
【図５】小児用の点滴筒に対応するアダプタを示す図である。
【図６】小児用の点滴筒に対応するアダプタのセンサホルダへの取り付け態様を示す断面図である。
【図７】アダプタの他の例を示す斜視図である。
【図８】他の例に係るアダプタのセンサホルダへの取り付け態様を示す断面図である。
【発明を実施するための形態】
【００２２】
以下、本発明に係る薬液検出装置の実施形態について図面を参照しつつ詳細に説明する。
【００２３】
図１は、本実施形態に係る薬液検出装置の概略構成を示す模式図である。この薬液検出装置１は、薬液１２０を検出するセンサ１１を内蔵するセンサホルダ１０と、検出結果を報知するアラーム本体２０とを備える。センサホルダ１０とアラーム本体２０とは、ケーブルにより接続される。センサ１１の出力信号がケーブルを介してアラーム本体２０に入力され、アラーム本体２０が備える電源から電力がケーブルを介してセンサホルダ１０内のセンサ１１へ供給される。アラーム本体２０による報知内容は、薬液１２０の投薬中又は投薬終了である。薬液１２０は、薬用効果を有する液体であり、麻酔薬や点滴薬が挙げられる。
【００２４】
薬液１２０は、薬液ボトル１００に収容されており、薬液ボトル１００からチューブを通って点滴筒１１０に流入する。点滴筒１１０内では、薬液１２０は、チューブと導通する滴下口１４０から落下し、下部に一時的に貯留される。センサホルダ１０は、この点滴筒１１０に着脱可能に取り付けられる。
【００２５】
具体的には、センサホルダ１０には、点滴筒１１０が挿入される挿入口１３が設けられている。挿入口１３は、センサホルダ１０の上面から下面へセンサホルダ１０を貫いて設けられる。点滴筒１１０は、この挿入口１３に挿入される。センサ１１は、発光素子１１ａと受光素子１１ｂを有する。発光素子１１ａと受光素子１１ｂとは、挿入口１３を挟んで対向して配置されており、点滴筒１１０の挿入時には薬液１２０の落下軌跡を挟む。
【００２６】
また、センサホルダ１０には、点滴筒１１０を挟持するアダプタ３０が着脱自在に取り付けられる。アダプタ３０は、点滴筒１１０を周囲から一定圧力で挟持する板状部材である。このアダプタ３０には、挿入口１３と対応する位置に嵌合孔３１が設けられている。嵌合孔３１は、点滴筒１１０を圧嵌する。
【００２７】
アラーム本体２０は、センサ１１の出力信号に応じて、薬液１２０の投薬中又は投薬終了を報知する。ここで、薬液１２０が麻酔薬である場合、麻酔薬の点滴筒１１０内の落下態様は、液柱が形成される流下である。薬液１２０が点滴薬である場合、点滴薬の点滴筒１１０内の落下態様は、点滴滴の滴下である。
【００２８】
従って、アラーム本体２０は、麻酔薬が投薬される場合、センサ１１の出力信号が流下を示しているか否かに応じて、麻酔薬の投薬中又は投薬終了を報知する。麻酔薬の流下中、受光素子１１ｂの受光量は、麻酔薬の液柱表面での反射や液柱内での吸収により、発光素子１１ａからの出射量より少なくなる。アラーム本体２０は、センサ１１から出力される信号の強度によって投薬中と投薬終了とを区別する。
【００２９】
点滴薬が投薬される場合、アラーム本体２０は、センサ１１の出力信号が滴下を示しているか否かに応じて、点滴薬の投薬中又は投薬終了を報知する。点滴薬が滴下している間、センサ１１から出力される信号は、点滴薬が滴下したタイミングでは出射光が阻害されて小さくなるため、パルス波となる。アラーム本体２０は、センサ１１から出力される信号がパルス波か否かによって、投薬中と投薬終了とを区別する。
【００３０】
尚、アラーム本体２０には、薬液１２０が麻酔薬であるか、点滴薬であるかを切り替える手動スイッチが設けられている。
【００３１】
このアラーム本体２０は、投薬中ランプ２１と投薬終了ランプ２２とスピーカ２３とボリューム摘み２４とを備えている。アラーム本体２０は、薬液１２０の落下を検出すると投薬中ランプ２１を点滅させる。一方、アラーム本体２０は、薬液１２０の落下を検出しなければ、投薬終了ランプ２２を点灯させ、スピーカ２３からブザー音を出力する。ブザー音の音量は、ボリューム摘み２４によって調節可能となっている。
【００３２】
また、このアラーム本体２０は、両端がアラーム本体２０の上端面に固定された紐部材２５を有する。薬液検出装置１の使用時において、アラーム本体２０は、紐部材２５を薬液ボトル用スタンドに引っかけることで薬液ボトル１００と共に吊される。これにより、センサホルダ１０にアラーム本体２０の荷重が掛からず、センサホルダ１０の点滴筒１１０からの離脱可能性が低下している。
【００３３】
図２は、この薬液検出装置１が備えるセンサホルダ１０の詳細構成を示す図であり、（ａ）はアダプタ３０が装着されたセンサホルダ１０を前面側から見た斜視図、（ｂ）はアダプタ３０が装着されたセンサホルダ１０の上面図、（ｃ）はセンサホルダ１０の上側筐体を背面側から見た斜視図、（ｄ）はアダプタ３０が装着されたセンサホルダ１０の背面図である。
【００３４】
図２に示すように、センサホルダ１０は、面取りされた直方体形状を有している。センサホルダ１０には、挿入口１３の他に、挿入された点滴筒１１０が目視可能な露出窓１４が設けられている。
【００３５】
露出窓１４は、センサホルダ１０の一側面を上端から下端に至るまで一定幅で掘り込まれて形成され、掘り込みの深さは挿入口１３に至る。この露出窓１４は、挿入口１３内部とセンサホルダ１０の外部とを側面から連通させている。
【００３６】
センサホルダ１０の上部には、アダプタ収容部１５が形成されており、このアダプタ収容部１５にアダプタ３０が着脱可能に挿入される。アダプタ収容部１５は、センサホルダ１０の背面側から挿入口１３の開口全域に及び、その範囲が上面から掘り込まれて形成され、アダプタ３０と略同一の形状及び略同一の大きさを有する。
【００３７】
アダプタ収容部１５の底面には、突起１５ａが設けられている。一方でアダプタ３０の底面、すなわちアダプタ収容部１５の底面と接する面には、凹部（図示せず）が設けられている。アダプタ収容部１５にアダプタ３０を収容されると突起１５ａに凹部が引っかかり、アダプタ３０は、アダプタ収容部１５内に係止される。
【００３８】
更に、アダプタ収容部１５を画する壁の上端には、係合鍔１６が形成されている。係合鍔１６は、アダプタ収容部１５の周縁部分を覆うように、アダプタ収容部１５の底面と平行に突出している。アダプタ収容部１５にアダプタ３０が収容されたときに、アダプタ３０の上面が係合鍔１６と当接する。これによって、アダプタ３０がセンサホルダ１０の上方へ抜けてしまうことが防止されている。
【００３９】
アダプタ３０は、点滴筒１１０の径に合わせて各種用意される。図３は、アダプタ３０の一例を示す図であり、（ａ）は斜視図、（ｂ）は上面図である。図３に示すアダプタ３０は、直径Ｌｃの点滴筒１１０にセンサホルダ１０を取り付ける場合に用いられる。
【００４０】
まず、アダプタ３０の嵌合孔３１の周縁は、上面から掘り込まれ、フランジ座面３２が形成されている。このフランジ座面３２には、使用時に点滴筒１１０のフランジ１３０が載嵌される。
【００４１】
さらに、アダプタ３０は、嵌合孔３１の周方向に沿ってそれぞれ延びる一対の挟持部３４、３４が嵌合孔３１を挟むように設けられる。挟持部３４、３４の両先端は、切り離されている。換言すると、アダプタ３０は、嵌合孔３１とアダプタ３０の外部とを連通させる断絶部３３を有する。
【００４２】
この挟持部３４の外縁には、アダプタ３０の内側方向へ湾曲した湾曲面３５が形成されている。湾曲面３５で挟まれた領域には、嵌合孔３１の中心Ｃが含まれる。すなわち、湾曲面３５は、嵌合孔３１における断絶部３３側の半円領域の弦部分よりも奥側から始まる。
【００４３】
また、アダプタ３０には、嵌合孔３１の内周壁に切欠部３６が設けられている。この切欠部３６は、湾曲面３５の始点付近に穿設されている。後述するように、挟持部３４、３４は、互いに離反する方向に撓み可能となっている。切欠部３６は、挟持部３４の撓みを容易にするとともに、撓みの基点を設定している。
【００４４】
図４は、この挟持部３４の機能を示す図であり、アダプタ３０がセンサホルダ１０に収容された状態での断面図を示す。図４の（ａ）は全体図、（ｂ）は挟持部３４付近の拡大図である。
【００４５】
図４に示すように、アダプタ収容部１５を画する側壁１７は、アダプタ３０の外形と概略同一形状を有するが、挟持部３４との対向部分に形成される湾曲面１８の曲率は、挟持部３４の湾曲面３５の曲率よりも小さくなっている。そのため、アダプタ３０をアダプタ収容部１５に挿入すると、挟持部３４と側壁１７との間に隙間部１９が出現する。
【００４６】
ここで、嵌合孔３１は、対応の点滴筒１１０の直径Ｌｃよりも短い直径Ｌａである。この直径Ｌａは、以下式のように設定されている。
【００４７】
直径Ｌａ＝（対応の点滴筒１１０の直径Ｌｃ）−２×（隙間部１９の幅Ｌ１）
隙間部１９の幅Ｌ１は、挟持部３４の根元を通る嵌合孔３１の直径線ＣＬを延長した線上における幅である。
【００４８】
嵌合孔３１が上記式のように設定され、且つ隙間部１９が発生しているため、対応の点滴筒１１０を嵌合孔３１に挿入すると、挟持部３４、３４は、切欠部３６を撓み基点として互いに離反する方向に撓み、嵌合孔３１の径を拡げる。挟持部３４は、側壁１７の湾曲面１８と当接するまで撓み、嵌合孔３１の直径Ｌａは、２×（隙間部１９の幅Ｌ１）だけ拡大し、対応の点滴筒１１０の直径Ｌｃと同一長となる。
【００４９】
このように、挟持部３４の撓みにより、嵌合孔３１は、対応の点滴筒１１０の直径Ｌｃまで拡大する。そのため、センサホルダ１０には、対応の点滴筒１１０に限って一定の圧力を感じながら挿入可能なる。更に所定圧力で点滴筒１１０が挟持されることでセンサホルダ１０が点滴筒１１０から脱落することが防止される。点滴筒１１０の種類に合わないアダプタ３０がセンサホルダ１０に取り付けられた場合には、点滴筒１１０が嵌合孔３１に入らないか、点滴筒１１０が挟持部３４によって挟持できず、嵌合孔３１内で遊貫された状態となる。
【００５０】
尚、湾曲面３５は、隙間部１９を形成するために設けられている。従って、挟持部３４の外縁は曲面に限る必要はなく、隙間部１９の幅Ｌ１が出現するように、挟持部３４の幅が調節されればよい。例えば、挟持部３４は、外縁が一段削り込まれた矩形形状を有するものでもよい。但し、矩形形状とした場合には、挟持部３４の先端が先に側壁１７に当接してしまう。そのため、この挟持部３４の先端が側壁１７に当接したときに、嵌合孔３１の直径が点滴筒１１０の直径と一致するように調整が必要である。
【００５１】
次に、図５は、小児用の点滴筒１１０に対応するアダプタ３０を示す図であり、（ａ）は斜視図、（ｂ）は上面図である。図６は、このアダプタ３０をセンサホルダ１０に取り付け、対応の点滴筒１１０を嵌合させた状態を示す断面図である。
【００５２】
図５に示すアダプタ３０は、小児用の点滴筒１１０にセンサホルダ１０を取り付ける場合に用いられる。挟持部３４の構成、切欠部３６の構成、嵌合孔３１の径の設定、及び挟持部３４の湾曲面３５の曲率設定については、図３のアダプタ３０と同一である。
【００５３】
このアダプタ３０は、滴下口１４０の高さを調節している。すなわち、アダプタ３０には、上面側に嵌合孔３１の周縁に沿って一定の高さの立壁３７が設けられている。立壁３７には、使用時において点滴筒１１０のフランジ１３０が当接する。
【００５４】
図６に示すように、小児用の点滴筒１１０には、チューブ内と連通する絞り筒１４１が設けられている。滴下口１４０は、この絞り筒１４１の先端に設けられる。この絞り筒１４１は、小児用に薬液１２０の一度の滴下量を調節している。
【００５５】
立壁３７は、絞り筒１４１の高さと同じか、それよりも高くなっており、点滴筒１１０のフランジ１３０が立壁３７に当接することにより、絞り筒１４１の先端に設けられた滴下口１４０は、センサ１１よりも高い位置となる。そのため、センサ１１は、小児用の点滴筒１１０にセンサホルダ１０が取り付けられる場合であっても、滴下口１４０から落下する薬液１２０を検出可能となる。
【００５６】
更に、他の種類のアダプタ３０を図７及び８に示す。図７は、アダプタ３０の他の例を示す斜視図である。図８は、このアダプタ３０がセンサホルダ１０に取り付けられ、点滴筒１１０が挿入された状態での断面図である。
【００５７】
図７に示すように、このアダプタ３０は、半円筒３８と挿入板３９とを一体成形して形成される。挿入板３９は、半円筒３８の上端縁から円筒外周側へ、半円筒３８の軸と直交する方向に延びる。この挿入板３９は、アダプタ収容部１５に挿入される部材であり、底面に凹部を有し、係合鍔１６と突起１５ａとに係合する。
【００５８】
半円筒３８は、点滴筒１１０を支持する可撓性部材である。この半円筒３８は、点滴筒１１０の半円領域を包むように支持する。半円筒３８には、センサ１１が薬液１２０の落下軌跡に臨むように、発光素子１１ａと受光素子１１ｂを露出させる開口が穿設されている。
【００５９】
半円筒３８の内径は、点滴筒１１０の外径よりも若干小さい。但し、図８に示すように、半円筒３８が撓み、その径が拡大することによって点滴筒１１０が挿入可能となっている。このようなアダプタ３０では、半円筒３８が点滴筒１１０の半円筒領域を覆うように支持するため、挿入口１３内での点滴筒１１０の安定性が増す。
【００６０】
以上のように、薬液検出装置１は、センサホルダ１０とアラーム本体２０とを備える。センサホルダ１０は、薬液１２０の落下軌跡を挟む発光素子１１ａ及び受光素子１１ｂを有するセンサ１１を内蔵し、点滴筒１１０に着脱可能に取り付けられる。アラーム本体２０は、センサ１１から出力される信号に基づき、薬液１２０の検出結果を報知する。このセンサホルダ１０は、点滴筒１１０の各種径及び滴下口高さに合わせた各種のアダプタ３０と、アダプタ３０を収容するアダプタ収容部１５とを更に備える。
【００６１】
そして、センサホルダ１０は、点滴筒１１０の種類に応じたアダプタ３０がアダプタ収容部１５に装着されて、アダプタ３０に点滴筒１１０が嵌め込まれることで、着脱可能に取り付けられる。
【００６２】
これにより、センサホルダ１０を各種点滴筒１１０に合わせて用意する必要はなくセンサホルダ１０の製造コストを削減することができる。
【００６３】
アダプタ３０は、板形状を有し、嵌合孔３１と断絶部３３と挟持部３４とを有するようにすればよい。嵌合孔３１は、板面を貫通し、対応の前記点滴筒の径よりも若干小さくする。断絶部３３は、嵌合孔３１から外縁まで板面を切り欠いて形成する。挟持部３４は、嵌合孔３１に沿って両側から断絶部３３に至るまで延びるようにし、撓み可能な部材で形成し、嵌合孔３１に挿嵌される点滴筒１１０を両側から挟持する。
【００６４】
そして、アダプタ収容部１５の側壁１７と挟持部３４との間の隙間部１９と嵌合孔３１の径との合計値は、対応の点滴筒１１０の径と同一となるように調整し、挟持部３４がアダプタ収容部１５の側壁１７に当接するまで撓んだときの嵌合孔３１の径は、対応の点滴筒１１０の径と同一となる。
【００６５】
これにより、ユーザは、正しいアダプタ３０を選択すれば、対応の点滴筒１１０に限って一定圧力を感じながら挿入可能なる。従って、アダプタ３０の選択を誤ることはなく、投薬中に点滴筒１１０からセンサアダプタ１０が脱落してしまうことを防止することができる。
【００６６】
また、アダプタ３０は、嵌合孔３１の内周面に設けられ、挟持部３４の拡がりを容易にする切欠部３６を更に備えることができる。これにより、挟持部３４の撓み基点が設定されるため、嵌合孔３１を円形状のまま、容易に拡大させることができる。
【００６７】
また、点滴筒１１０は、上端に設けられたフランジ１３０と、内部に設けられた小児用に投薬速度を調整する絞り筒とを有する。一方、この点滴筒１１０に対応するアダプタ３０は、フランジ１３０が当接する立壁３７を嵌合孔３１の周縁に設ける。この立壁３７は、絞り筒１４１の長さと同一か若干高い。これにより、小児用の点滴筒１１０をセンサホルダ１０に取り付けてもセンサ１１の発光素子１１ａと受光素子１１ｂが薬液１２０の落下軌跡を挟むことができる。
【００６８】
また、アダプタ３０は、半円筒形状を有し、内径が対応の点滴筒１１０の径よりも若干狭く、対応の点滴筒１１０が介挿されると、筒壁が拡がって点滴筒１１０を挟持するように構成してもよい。これにより、半円筒３８が点滴筒１１０の半円筒領域を覆うように支持するため、挿入口１３内での点滴筒１１０の安定性が増す。
【符号の説明】
【００６９】
１  薬液検出装置
１０  センサホルダ
１１  センサ
１１ａ  発光素子
１１ｂ  受光素子
１３  挿入口
１４  露出窓
１５  アダプタ収容部
１５ａ  突起
１６  係合鍔
１７  側壁
１８  湾曲面
１９  隙間
２０  アラーム本体
２１  投薬中ランプ
２２  投薬終了ランプ
２３  スピーカ
２４  ボリューム摘み
２５  紐部材
３０  アダプタ
３１  嵌合孔
３２  フランジ座面
３３  断絶部
３４  挟持部
３５  湾曲面
３６  切欠部
３７  立壁
３８  半円筒
３９  挿入板
１００  薬液ボトル
１１０  点滴筒
１２０  薬液
１３０  フランジ
１４０  滴下口
１４１  絞り筒
【図１】
2012245154.tif 000003
【図２】
2012245154.tif 000004
【図３】
2012245154.tif 000005
【図４】
2012245154.tif 000006
【図５】
2012245154.tif 000007
【図６】
2012245154.tif 000008
【図７】
2012245154.tif 000009
【図８】
2012245154.tif 000010
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
薬液ボトルにチューブを介して連通する点滴筒内を落ちる薬液を検出する薬液検出装置であって、
前記薬液の落下軌跡を挟む発光素子及び受光素子を有するセンサを内蔵し、前記点滴筒に着脱可能に取り付けられるセンサホルダと、
前記センサから出力される信号に基づき、前記薬液の検出結果を報知する報知手段と、を備え、
前記センサホルダは、
前記点滴筒の各種径及び滴下口高さに合わせた各種のアダプタと、
前記アダプタを収容する収容手段と、を更に備え、
前記アダプタは、
板形状を有し、
板面を貫通し、対応の前記点滴筒の径よりも若干小さい嵌合孔と、
前記嵌合孔から外縁まで前記板面を切り欠いて形成される断絶部と、
前記嵌合孔に沿って前記断絶部に至るまで前記嵌合孔を挟むようにそれぞれ延び、前記嵌合孔に挿嵌される前記点滴筒を両側から挟持する撓み可能な一対の挟持部と、
前記嵌合孔の内周面に設けられ、前記挟持部の拡がりを容易にする切欠部と、
を有し、
前記収容手段の側壁と前記挟持部との間の隙間と前記嵌合孔の径との合計値が前記対応の点滴筒の径と同一であり、
前記挟持部が前記収容手段の側壁に当接するまで撓んだときの前記嵌合孔の径は、前記対応の点滴筒の径と同一となること、
を特徴とする薬液検出装置。
【請求項２】
前記挟持部は、外縁に湾曲面を有し、
前記収容手段の側壁は、前記挟持部の湾曲面との対向部分に湾曲面を有し、
前記挟持部の湾曲面の曲率は、前記収容手段の側壁の湾曲面よりも大きく、この挟持部の湾曲面の曲率によって前記隙間の長さが設定されていること、
を特徴とする請求項１に記載の薬液検出装置。
【請求項３】
前記点滴筒は、上端にフランジを有し、
前記アダプタは、前記嵌合孔の周縁に上面から掘り込まれた前記フランジの座面を更に備えること、
を特徴とする請求項１又は２に記載の薬液検出装置。
【請求項４】
前記点滴筒は、
上端に設けられたフランジと、
内部に設けられた小児用に投薬速度を調整する絞り筒と、
を備え、
前記アダプタは、
前記嵌合孔の周縁に形成され、前記絞り筒の長さと同一か若干高く、前記フランジが当接する立壁を更に備えること、
を特徴とする請求項１乃至３の何れかに記載の薬液検出装置。
【手続補正２】
【補正対象書類名】明細書
【補正対象項目名】００１３
【補正方法】変更
【補正の内容】
【００１３】
上記目的を達成すべく、本発明に係る薬液検出装置は、薬液ボトルにチューブを介して連通する点滴筒内を落ちる薬液を検出する薬液検出装置であって、前記薬液の落下軌跡を挟む発光素子及び受光素子を有するセンサを内蔵し、前記点滴筒に着脱可能に取り付けられるセンサホルダと、前記センサから出力される信号に基づき、前記薬液の検出結果を報知する報知手段と、を備え、前記センサホルダは、前記点滴筒の各種径及び滴下口高さに合わせた各種のアダプタと、前記アダプタを収容する収容手段と、を更に備え、前記アダプタは、板形状を有し、板面を貫通し、対応の前記点滴筒の径よりも若干小さい嵌合孔と、前記嵌合孔から外縁まで前記板面を切り欠いて形成される断絶部と、前記嵌合孔に沿って前記断絶部に至るまで前記嵌合孔を挟むようにそれぞれ延び、前記嵌合孔に挿嵌される前記点滴筒を両側から挟持する撓み可能な一対の挟持部と、前記嵌合孔の内周面に設けられ、前記挟持部の拡がりを容易にする切欠部と、を有し、前記収容手段の側壁と前記挟持部との間の隙間と前記嵌合孔の径との合計値が前記対応の点滴筒の径と同一であり、前記挟持部が前記収容手段の側壁に当接するまで撓んだときの前記嵌合孔の径は、前記対応の点滴筒の径と同一となること、を特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１９
【補正方法】削除
【補正の内容】